(57)【要約】      （修正有）【課題】常に使用者の両手を開放し自由に作業を行うことができ、作業性や使い勝手に優れた新規な情報処理装置を提供する。【解決手段】コード情報読取手段、電子情報読取手段、又は電子情報書込手段の何れかが内蔵されてなるハウジング１１と、このハウジング１１に配置されてなるとともに上記コード情報読取手段、電子情報読取手段、又は電子情報書込手段の何れかを動作させるトリガー４２，４４と、上記ハウジング１１に固定されてなるとともに使用者の手指の甲に装着する装着用ベルト１２と、を備え、上記装着用ベルト１２は、使用者の手指の第２関節と第３関節との間に装着可能とされてなるとともに、上記トリガー４２，４４は、上記ハウジング１１であって上記装着ベルト１２を装着した使用者の手の親指により操作可能な位置に配置されてなる。【選択図】図１
2008293474.tif 000002
【特許請求の範囲】
【請求項１】
バーコード化若しくは２次元コード化された識別コード情報を読み取るコード情報読取手段、又は、電波による送信機能を備えたＩＣチップに書き込まれた情報を読み取る電子情報読取手段、若しくは、電波による受信機能を備えたＩＣチップに電子情報を書き込む電子情報書込手段、の何れかを備えた情報処理装置であって、
上記コード情報読取手段、電子情報読取手段、又は電子情報書込手段の何れかが内蔵されてなるハウジングと、
このハウジングに配置されてなるとともに上記コード情報読取手段、電子情報読取手段、又は電子情報書込手段の何れかを動作させるトリガーと、
上記ハウジングに固定されてなるとともに使用者の手指の甲に装着する装着用ベルトと、
を備え、
上記装着用ベルトは、使用者の手指の第２関節と第３関節との間に装着可能とされてなるとともに、上記トリガーは、上記ハウジングであって上記装着ベルトを装着した使用者の手の親指により操作可能な位置に配置されてなることを特徴とする情報処理装置。
【請求項２】
前記トリガーは、前記ハウジングの左右両側面の何れか又は両側面に配置されていることを特徴とする請求項１記載の情報処理装置。
【請求項３】
前記ハウジングが装着される手指は、人差指と中指との２本であることを特徴とする請求項１又は２記載の情報処理装置。
【請求項４】
前記ハウジング又は装着用ベルトの下面であって、該ハウジングの装着時における使用者の手指の甲及び／又は手の甲が接触する部位には、低反発性シート部材が配置されてなることを特徴とする請求項１，２又は３何れか記載の情報処理装置。
【請求項５】
前記ハウジングには、前記コード情報読取手段と、前記電子情報読取手段及び／又は電子情報書込手段とが内蔵され、上記コード情報読取手段は、前記識別コード情報を読み取る受光部を有し、上記電子情報読取手段又は電子情報書込手段は前記ＩＣチップからの電波を受信又は送信するアンテナを有してなるとともに、
上記受光部及びアンテナは、上記ハウジングの下面を除く何れかの面であって互いに同一の面又はその近傍に配置されてなることを特徴とする請求項１，２，３又は４の何れか記載の情報処理装置。
【発明の詳細な説明】
【技術分野】
【０００１】
本発明は、バーコード化若しくは２次元コード化された識別コード情報を読み取るコード情報読取手段、電波による送信機能を備えたＩＣチップに書き込まれた情報を読み取る電子情報読取手段、電波による受信機能を備えたＩＣチップに電子情報を書き込む電子情報書込手段等を備えた情報処理装置に関するものである。
【背景技術】
【０００２】
従来、バーコード、２次元コード又はＩＣチップ等の記憶媒体に記録された情報を読み取る際に使用されている情報処理装置としては、所謂ハンディスキャナと称されるものが多用されている（特許文献１参照）。こうしたハンディスキャナは、先端に、２次元コードに発光される発光素子及びこの２次元コードの反射光を受光する受光素子と、ＩＣチップの情報を読み取るリーダーとを備えて構成されている。また、この特許文献１に係るハンディスキャナはコンピュータと接続されるとともに、このコンピュータには、バーコードに対応する価格、製造年月日その他の商品又は製品情報等が記憶部に記憶されており、中央演算処理装置により、所定のプログラムに従って情報処理がなされる。したがって、従来の情報処理装置では、使用者は、片手で上記ハンディスキャナを把持しながら、他方の手で商品又は製品を持ち上げるなどの作業をしていた。
【特許文献１】特開２００１−３１９１９９号公報
【発明の開示】
【発明が解決しようとする課題】
【０００３】
しかしながら、上述した従来の情報処理装置では、必ず一方の手で該装置を把持しなければならず、すなわち、該一方の手は該装置により占有されてしまうため、作業性が極めて悪い。例えば、両手で移動させなければならないような商品又は製品にバーコード等が表示されている場合には、上記情報処理装置を適当な所に載置しておき、次いで、上記商品又は製品を両手で所定の場所に置き、その後に片手で上記情報処理装置を把持し、スキャニングを行った後、再び上記商品又は製品を元の位置に戻すなどの作業が必要となり、極めて作業性が悪い。
【０００４】
そこで、本発明は、上述した情報処理装置が有する課題を解決するために提案されたものであって、常に使用者の両手を開放し自由に作業を行うことができ、作業性や使い勝手に優れた新規な情報処理装置を提供することを目的とする。
【課題を解決するための手段】
【０００５】
上述した目的を達成するため、第１の発明（請求項１記載の発明）に係る情報処理装置は、バーコード化若しくは２次元コード化された識別コード情報を読み取るコード情報読取手段、又は、電波による送信機能を備えたＩＣチップに書き込まれた情報を読み取る電子情報読取手段、若しくは、電波による受信機能を備えたＩＣチップに電子情報を書き込む電子情報書込手段、の何れかを備えた情報処理装置であって、上記コード情報読取手段、電子情報読取手段、又は電子情報書込手段の何れかが内蔵されてなるハウジングと、このハウジングに配置されてなるとともに上記コード情報読取手段、電子情報読取手段、又は電子情報書込手段の何れかを動作させるトリガーと、上記ハウジングに固定されてなるとともに使用者の手指の甲に装着する装着用ベルトと、を備え、上記装着用ベルトは、使用者の手指の第２関節と第３関節との間に装着可能とされてなるとともに、上記トリガーは、上記ハウジングであって上記装着ベルトを装着した使用者の手の親指により操作可能な位置に配置されてなることを特徴とするものである。
【０００６】
この第１の発明に係る情報処理装置には、使用者の手指に装着される装着用ベルトがハウジングに配置されていることから、使用者は該情報処理装置を手指の甲に配置した状態で装着し使用することができ、さらに、上記装着用ベルトは、使用者の手指の第２関節（指の先から２番目の関節）と第３関節（指の先から３番目の関節）との間に装着可能とされてなるから、第１関節ないし第３関節を自由に曲げたり伸ばしたりすることができる。したがって、掌による情報処理装置の把持と開放との繰り返し動作が不要であるとともに、両手が自由に使えることから、使用者が手作業をする際に該手作業の支障とならず、作業性の向上を図ることができる。また、装着ベルトを装着した使用者の手の親指によりトリガーを操作できるとともに、情報処理装置を装着した手で他の作業をしながら読み取り操作や書き込み操作をすることができることから、さらなる作業性の向上を図ることができる。
【０００７】
また、コード情報読取手段、電子情報読取手段、又は、電子情報書込手段を動作させるトリガーは、この情報処理装置を装着ベルトにより装着した使用者の手の親指により操作可能な位置に配置されてなることから、使用者は片手のみで読み取り操作や書き込み操作が可能となり、より一層作業性を向上することができる。
【０００８】
また、第２の発明（請求項２記載の発明）は、上記第１の発明において、前記トリガーは、前記ハウジングの左右両側面の何れか又は両側面に配置されていることを特徴とするものである。
【０００９】
この第２の発明によれば、前記トリガーは、前記ハウジングの左右両側面の何れか又は両側面に配置されていることから、装着ベルトにより情報処理装置を装着した使用者が手の親指により容易に情報の読み取り操作や書き込み操作をすることができ、さらに作業性の向上を図ることができる。特に、上記トリガーを前記ハウジングの左右両側面に配置した場合には、上記装着ベルトによりこの情報処理装置を使用者の左手又は右手の何れに装着した場合でもそれぞれの親指により操作することができる。このため、使用者の利き手が左利きでも右利きでもこの情報処理装置を使用することができる。また、使用者が一方の手に情報処理装置を装着して作業を継続して疲労した場合等であって該使用者が他方の手に該情報処理装置を装着し直した場合であっても、該使用者はその他方の手の親指でトリガーの操作をすることができ、このように左右何れか一方の手から他方の手に該情報処理装置を装着し直した場合にもそれまでと同様に作業を継続することができる。
【００１０】
また、第３の発明（請求項３記載の発明）は、上記第１又は第２の何れかの発明において、前記ハウジングが装着される手指は、人差指と中指との２本であることを特徴とするものである。
【００１１】
この第３の発明によれば、前記ハウジングが装着される手指は、人差指と中指との２本であることから、装着されたハウジングが手指の周方向にずれることなく、安定した装着状態を確保できる。なお、ハウジングを装着する装着用ベルトは、紐状又は帯状の何れでもよいが、伸縮自在な弾性部材にすることにより２本の指の屈伸を自在にすることができる。したがって、この第３の発明によれば、さらに作業性の向上を図ることができる。
【００１２】
また、第４の発明（請求項４記載の発明）は、上記第１、第２又は第３の何れかの発明において、前記ハウジング又は装着用ベルトの下面であって、該ハウジングの装着時における使用者の手指の甲及び／又は手の甲が接触する部位には、低反発性シート部材が配置されてなることを特徴とするものである。
【００１３】
この第４の発明によれば、低反発性シート部材は、シート部材自体に加わる圧力を均等に吸収して分散することから、手指とハウジング又は装着用ベルトとの間に該低反発性シート部材を配置させることにより、ハウジング又は装着用ベルトの位置ずれを防止するとともに、装着による不快感を防止することができる。したがって、この第４の発明によれば、さらに作業性の向上を図ることができる。
【００１４】
また、第５の発明（請求項５記載の発明）は、上記第１、第２、第３又は第４の何れかの発明において、前記ハウジングには、前記コード情報読取手段と、前記電子情報読取手段及び／又は電子情報書込手段とが内蔵され、上記コード情報読取手段は、前記コード情報を読み取る受光部を有し、上記電子情報読取手段又は電子情報書込手段は前記ＩＣチップからの電波を受信又は送信するアンテナを有してなるとともに、上記受光部及びアンテナは、上記ハウジングの下面を除く何れかの面であって互いに同一の面又はその近傍に配置されてなることを特徴とするものである。
【００１５】
この第５の発明によれば、この情報処理装置は、バーコード化若しくは２次元コード化された識別コード情報の読み取りの操作と、ＩＣチップに書き込まれた情報の電波による読み取り及び／又はＩＣチップへの電波による情報の書き込みの操作とをいちどきに連続して実行するのに適したものとなり、上記第１又は第２の発明に係る情報処理システムを構成する情報処理装置の操作に際して、作業性の向上を図ることができる。なお、コード情報読取手段は、受光部により画像であるバーコード化若しくは２次元コード化された識別コード情報の読み取りをするものであるが、特にこの発明を構成する受光部は、具体的にはＣＣＤ等の受光素子上にバーコード若しくは２次元コードの画像を結像させるレンズである。また、電子情報読取手段及び電子情報書込手段はＩＣチップとの間で電波により情報の受信及び送信をすることで情報の読み取り及び書き込みをするものであるが、この電波の受信及び送信は該電子情報読取手段及び電子情報書込手段を構成するアンテナを介してされるのであって、このアンテナは導電体を平面状のコイルとしたものが用いられている。そして、この電子情報読取手段及び電子情報書込手段がアンテナを介して電波により情報の受信及び送信をする際には、このアンテナの面と直交する方向（平面状のコイルであるアンテナの面の法線の方向）にＩＣチップが位置する場合に最も該電子情報読取手段及び電子情報書込手段は効率的に情報の受信及び送信をすることができる。この第５の発明の情報処理装置では、上記受光部及びアンテナは、同一の面又はその近傍に配置されており、このため、受光部（レンズ）により識別コード情報の読み取りに適した方向（受光部によりＣＣＤ等の受光素子上に識別コード情報を結像することができる方向）と、アンテナによりＩＣチップとの情報の受信及び送信に適した方向（平面状のコイルとしたアンテナの面の法線方向）とが一致するものとなる。また、上記受光部及びアンテナは、互いに同一の面、すなわちハウジングに形成された（下面を除く）面にそれぞれ形成されたものばかりではなく、例えば、受光部はその面に形成されてなる一方、アンテナはその面の内側に配置されているものであっても良い。
【発明の効果】
【００１６】
上記第１の発明（請求項１記載の発明）に係る情報処理装置によれば、上記の構成により、掌による情報処理装置の把持と開放との繰り返し動作が不要であるとともに、両手が自由に使えることから、使用者が手作業をする際に該手作業の支障とならず、誤操作を招くことがないとともに、作業性の向上を図ることができる。また、装着ベルトを装着した使用者の手の親指によりトリガーを操作できるとともに、情報処理装置を装着した手で他の作業をしながら読み取り操作や書き込み操作をすることができることから、より一層作業性を向上することができる。
【００１７】
また、第２の発明（請求項２記載の発明）によれば、トリガーは、前記ハウジングの左右両側面の何れか又は両側面に配置されていることから、装着ベルトを装着した使用者の手の親指により容易に操作をすることができる。特に、このトリガーを前記ハウジングの左右両側面に配置することにより、使用者は該ハウジングを左手又は右手の何れに装着した場合でもそれぞれの親指により操作することができ、使用者が左利きでも右利きでも使用することができる。したがって、左利き用又は右利き用の情報処理装置を個別に用意する必要がなく、この情報処理装置の製造原価を低減することができる。また、使用者が疲労等によりこの情報処理装置を一方の手から他方の手に装着し直した場合にも、同様に親指による作業を継続することができる。
【００１８】
また、第３の発明（請求項３記載の発明）によれば、ハウジングが装着される手指は、人差指と中指との２本であることから、装着されたハウジングが手指の周方向にずれることなく、安定した装着状態を確保できるので、作業性の向上を図ることができる。
【００１９】
また、第４の発明（請求項４記載の発明）によれば、使用者の手指の甲及び／又は手の甲とハウジングが接触する部位に低反発性シート部材を配置させることにより、ハウジングの位置ずれを防止するとともに、装着による不快感を防止することができるので、作業性の向上を図ることができる。
【００２０】
また、第５の発明（請求項５記載の発明）によれば、上記受光部及びアンテナは、同一の面又はその近傍に配置されてなることから、該受光部（レンズ）によって識別コード情報を読み取るのに適した方向と、アンテナによってＩＣチップとの情報の受信及び送信に適した方向とが一致するものとなる。このため、使用者がバーコード又は２次元コード及びＩＣチップの何れもが付された情報対象物と、情報処理装置とを適切な位置関係とした場合には、この位置関係は、受光部によるバーコード化若しくは２次元コード化された識別コード情報の読み取りにも、アンテナを介した電波によるＩＣチップとの情報の受信及び／又は送信による読み取り及び／又は書き込みにも適した位置関係となる。したがって、この情報処理装置は、バーコード化若しくは２次元コード化された識別コード情報の読み取りの操作と、ＩＣチップに書き込まれた情報の電波による読み取り及び／又はＩＣチップへの電波による情報の書き込みの操作とを一度に連続して実行するのに適したものとなり、作業性の向上を図ることができる。
【発明を実施するための最良の形態】
【００２１】
以下、本発明を実施するための最良の形態に係る情報処理装置について図面を参照しながら詳細に説明する。
【００２２】
本発明の実施の形態に係る情報処理装置１は、図１又は図２に示すような形状となされている。すなわち、この情報処理装置１は、内部に電気回路や電源等を内蔵するプラスチック製のハウジング１１と、該ハウジング１１の下方に固定されている装着ベルト１２とから構成されている。また、上記ハウジング１１の上面２１のやや正面側（図１に示す左端側）には透明板２２が取り付けられており、該透明板２２の直下内には、後述するコード情報読取手段８２を構成するレンズ２３と発光部２４とが内蔵されている。また、上記ハウジング１１の上面２１の略中央であって、上記透明板２２よりもやや背面側には、この情報処理装置１が読み取った情報や書き込む情報を使用者に通知し、或いは、この情報処理装置１の現在の状態等の様々な情報を表示する液晶の表示部２５が配置されている。
【００２３】
また、上記ハウジング１１の上面２１の背面側（上記表示部２５よりもやや背面側）には、４つの押しボタン状のスイッチ２６，２７，２８，２９が左右に並んで配置されており、使用者はこれらのスイッチ２６，２７，２８，２９の押し下げ操作によりこの情報処理装置１の電源の入切や動作についての操作をすることができる。また、上記ハウジング１１の上面２１から左側に連続する傾斜面３１には、ＬＥＤ（発光ダイオード）３２，３３，３４，３５が配置されており、また同様に、ハウジング１１の上面２１から右側に連続する傾斜面３６には、ＬＥＤ３７，３８，３９，４０が配置されている。これらＬＥＤ３２，３３，３４，３５，３７，３８，３９，４０が点灯することにより、この情報処理装置１の電源の入切の状態や他の機器との通信の状態等のこの情報処理装置１の現在の状態を示す。なお、これらＬＥＤ３２，３３，３４，３５，３７，３８，３９，４０は、使用者がこの情報処理装置１を右手に装着して上記ハウジング１１の左方から見た場合にも、あるいは、使用者が該情報処理装置１を左手に装着して該ハウジング１１の右方から見た場合にも同様に確認ができるように、ＬＥＤ３２，３３，３４，３５とＬＥＤ３７，３８，３９，４０とは互いに対となって同じ点滅動作をする。
【００２４】
また、上記透明板２２，表示部２５及びスイッチ２６，２７，２８，２９が配置されたこのハウジング１１の上面２１の直下には、外部に露出しないアンテナ３０が埋設されている。このアンテナ３０は、後述する電子情報読取手段８３及び電子情報書込手段８４を構成するものであって（図５参照）、該電子情報読取手段８２及び電子情報書込手段８４と後述する現品票９１のＲＦタグ９３のＲＦタグ側送受信手段９６を構成する図示しないアンテナとの間での電波による情報の受信及び送信に用いられる。なお、このＲＦタグ９３のＲＦタグ側送受信手段９６を構成するアンテナは、線状の導電体を平面状でコイルにしたものである。また、上記アンテナ３０は、図１において破線で示すように、上記表示部２５の周囲を囲うような位置に配置されている。このアンテナ３０は平面状のコイルとされていることから、この平面と直交する方向（この平面の法線の方向）に現品票９１のＲＦタグ９３のＲＦタグ側送受信手段９６を構成するアンテナが位置することが、該ＲＦタグ９３との情報の受信及び送信に最も適した位置関係となっている。したがって、例えば、図４に示す２次元コード化された識別コード情報が印刷されたＱＲコード９２や、電波によって情報を送信及び受信するＩＣチップ（ＲＦタグ９３）が付された現品票９１に対して、情報処理装置１によって情報の読み取り及び書き込みをする場合であって、上記レンズ２３を該ＱＲコード９２に向けて該ＱＲコード９２の読み取りに適した位置関係とした場合には、この情報処理装置１と現品票９１との位置関係は、アンテナ３０がＲＦタグ９３との電波による情報の受信及び送信に適した位置関係ともなっている。このため、後述する使用方法の例のように、使用者が上記情報処理装置１を用いて左トリガー４２（又は右トリガー４４）の操作をするのみで識別コード情報の読み取りとこの識別コード情報に対応する情報のＲＦタグ９３への書き込みを一連に（ほぼ同時に）行う作業の際には、この情報処理装置１はこのような作業に非常に適したものとなっている。
【００２５】
また、図１又は図２に示すように、上記ハウジング１１の左側面４１には、押しボタン状のスイッチである左トリガー４２が配置されており、また、反対側の右側面４３には、押しボタン状のスイッチである右トリガー４４が配置されている。これらトリガー４２，４３は、例えば、図４に示すように、装着ベルト１２により情報処理装置１を使用者の右手Ｈに装着した場合には、右手Ｈの親指Ｆ３により左トリガー４２が容易に操作できるように配置されている。また、情報処理装置１を使用者の図示しない左手に装着した場合には、左手の親指により右トリガー４３が容易に操作できるように配置されている（図３参照）。このため、使用者の手に装着された情報処理装置１は、右手に装着した場合にも、左手に装着した場合にも、同様に使用することができる。また、このハウジング１１の下面の背面側には電池蓋４６が配置されており、使用者はこの電池蓋４６を開閉することにより該ハウジング１１内に収納されている電池の交換等ができる。
【００２６】
また、上述の通り、上記ハウジング１１の正面側の下方には、装着ベルト１２が取り付けられている。すなわち、上記ハウジング１１の左側面４１及び右側面４３それぞれの下端部には、図２及び図３に示すように、正面側及び背面側のそれぞれに下方へ突出する左側の突出部５１，５２と、一部が図示されない右側の突出部５３とが対向して形成されている。これらの突出部５１，５２，５３には図中に点線で示す軸穴（符号は省略する。）が形成されており、これらの軸穴の開口には棒体５５，５６が挿通されて固定されている。また、上記装着ベルト１２は合成繊維性であって、一端には金属環５７が取り付けられており、該装着ベルト１２の他端及び該他端側中途部には一対の面ファスナー５８，５９が貼付されている。そして、この装着ベルト１２は上記棒体５５，５６と上記ハウジング１１の下面との間を挿通されるとともに、該装着ベルト１２の他端は上記金属環５７内を挿通して折り返され、上記一対の面ファスナー５８，５９により貼り合わされて環状となっている。このため、この情報処理装置１を用いる使用者は、図４に示すように、この装着ベルト１２内に右手Ｈ（又は左手）の人差指Ｆ１と中指Ｆ２とを挿入して該情報処理装置１を該右手Ｈ（又は左手）に装着することができる。なお、上記装着ベルト１２は、この情報処理装置１を装着した際に使用者の右手Ｈ（又は左手）の人差指Ｆ１と中指Ｆ２の第２関節と第３関節との間に装着されるようになっている。また、この環状とされた装着ベルト１２内に挿入する使用者の右手Ｈ（又は左手）の人差指Ｆ１と中指Ｆ２とのサイズに合わせて、上記装着ベルト１２の面ファスナー５８，５９が貼り合わされる箇所を適宜調節することができる。このように、この情報処理装置１は使用者の右手Ｈ（又は左手）の人差指Ｆ１と中指Ｆ２に装着されることから、この装着されたハウジング１１が手指の周方向にずれることなく、安定した装着状態を確保できる。また、上記の環状とされた装着ベルト１２の内面であって、使用者が上述の要領で上記情報処理装置１を装着した際に、該使用者の右手Ｈ（又は左手）の人差指Ｆ１と中指Ｆ２との甲が接触する部位には、低反発性シート部材６０が貼付されている。このため、使用者がこの情報処理装置１を装着した場合には、使用者の人差指Ｆ１と中指Ｆ２との甲が直接装着ベルト１２の内面に接触することを防ぎ、また上記低反発性シート部材６０は、加わる圧力を均等に吸収して分散することから、該ハウジング１１の位置ずれを防止するとともに、装着による不快感を防止することができ、使用者の作業性の向上を図ることができる。
【００２７】
また、この情報処理装置１内には、図５に示す電子回路が内蔵されている。この電子回路は、後述のフローチャートを示して説明する演算処理、判別処理等をする情報処理装置側中央演算処理装置（以下、情報処理装置側ＣＰＵという）８１が設けられ、この情報処理装置側ＣＰＵ８１には、ＱＲコード９２等の識別コード情報を読み取るコード情報読取手段８２と、ＲＦタグ９３の記憶情報を読み取る電子情報読取手段８３と、ＲＦタグ９３に特定の個別情報等を書き込む電子情報書込手段８４と、各種の情報を記憶する情報処理装置側記憶手段８５と、情報処理装置側ＣＰＵ８１に接続され後述するホストコンピュータ１０１と各種情報の送受信をための情報処理装置側送受信手段８８と、使用者に読み取りの契機等を知らせるブザー８６と、使用者に読み取りの契機等を知らせるバイブレータ８７とがそれぞれ接続されている。また、上述した情報処理装置側ＣＰＵ８１には、ハウジング１１に取り付けられた表示部２５と、スイッチ２６，２７，２８，２９と、ＬＥＤ３２，３３，３４，３５，３７，３８，３９，４０と、左トリガー４２及び右トリガー４４とが接続されている。
【００２８】
なお、上記情報処理装置側記憶手段８５には、この情報処理装置１自体が動作するために必要な情報や使用者を通知する情報のデータベース、すなわち、上記表示部２５への表示の内容や、上記スイッチ２６，２７，２８，２９，左トリガー４２及び右トリガー４４への使用者の操作に応じた該情報処理装置１の動作、ＬＥＤ３２，３３，３４，３５，３７，３８，３９，４０の点灯、ブザー８６の発音、バイブレータ８７の作動、情報処理装置側送受信手段８８による情報の送信及び受信（及び、その送信及び受信に係る情報の内容や、送信及び受信の相手）等について入力されている。特に上記表示部２５への表示の内容としては、この情報処理装置１の電源を入れたときに表示される起動画面の文字列や、この情報処理装置１自体が電源が入っていることを使用者に伝える文字列や、この情報処理装置１がホストコンピュータ１０１等の他の機器との接続をしていること又は接続をしていないことを使用者に伝える文字列や、この情報処理装置１へ次のデータが入力されることを待機していることを使用者に伝える文字列や、次に使用者が該情報処理装置１について何を操作すべきであるかについて指示する文字列や、この情報処理装置１のバッテリーの電圧が低下したことを使用者に伝える文字列や、この情報処理装置１が使用者により電源を切る操作をされた際に電源を切ることについて確認する旨を使用者に伝える文字列や、この情報処理装置１の設定を変更する操作をされた際にこの設定の内容を使用者に確認する文字列が入力されている。
【００２９】
また、後述する各商品等毎の個別情報を一般的な文字（例えば、商品等の個別の商品名等）と対応させる変換テーブルの文字列等、或いは、上記情報処理装置側送受信手段８８が上記ホストコンピュータ１０１とブルートゥースの規格により通信をするために必要なプロトコルやパスキー（認証鍵）に関する情報や、これらの情報を用いた情報処理装置１の動作に必要なコマンドからなるプログラム等の情報が入力されている。また、この情報処理装置１自体の動作に必要な情報については、情報処理装置側ＣＰＵ８１が上記情報処理装置側記憶手段８５に入力されたコマンドを直接読み込んで逐次実行するものとされていることからこのコマンドに関する定義や動作に関する情報が入力されているが、この情報処理装置側ＣＰＵ８１は上記情報処理装置側記憶手段８５に入力されたオペレーションシステムを介して入力された情報に基づいて動作するものとしても良く、このオペレーションシステムとしてはトロンやウインドウズＣＥ等を用いるものとしても良い。
【００３０】
また、以下に述べるこの実施の形態での該情報処理装置１の動作は、あくまで一例に過ぎず、使用者がこの情報処理装置１により行う作業に応じてこの情報処理装置１の動作は適宜プログラムすることができる。すなわち、この実施の形態での情報処理装置１では、後述するように左トリガー４２を押圧した際には上記コード情報読取手段８２，電子情報読取手段８３及び電子情報書込手段８４が一連の動作を連続して（使用者からすればほぼ同時に）動作をするものとしてプログラムが設定されているが、これら読み取り、書き込み、動作、発音、作動、情報の送信及び受信等のうち何れか一又は二のもののみが動作をするように設定するものとしても良い。なお、この情報処理装置１の読み取り、書き込み、動作、発音、作動、情報の送信及び受信等をプログラムとして入力して設定する場合には、上記スイッチ２６，２７，２８，２９の動作により設定用のメニュー画面を上記液晶の表示部２５に表示させた上で該スイッチ２６，２７，２８，２９の操作により行うものとしても良い。また、この情報処理装置１の動作のプログラムの入力は、後述するホストコンピュータ１０１で上記の情報処理装置１の動作についてのプログラムを入力しておいたものを該情報処理装置１へ転送することで入力するものとしても良い。このホストコンピュータ１０１を用いて情報処理装置１にプログラムを入力する場合には、該ホストコンピュータ１０１で入力したプログラムは、上述した情報処理装置側送受信手段８８と後述するホストコンピュータ側送受信手段１０４との間のブルートゥースの規格による通信で転送して入力するものとしても良く、或いは、この情報処理装置１に一般にコンピュータに多く用いられている図示しないＵＳＢ端子を設け、該ＵＳＢ端子によりホストコンピュータ１０１と接続して転送して入力するとしても良く、或いは、この情報処理装置１に図示しない外部記憶媒体用接続端子（例えば、ＳＤカードのスロット）を設け、該外部記憶媒体用接続端子に該プログラムを書き込んだ外部記憶媒体（例えば、ＳＤカード）を繋ぐことにより、該外部記憶媒体内に入力したプログラムをこの情報処理装置１（の情報処理装置側記憶手段８５）へ転送して入力するものとしても良い。また、予めこの情報処理装置１（の情報処理装置側記憶手段８５）内に該情報処理装置１の動作を設定するプログラムを複数入力しておき、これら複数のプログラムの内の何れを用いるかを使用者が選択できるものとしても良い。この場合、プログラムの選択は、この情報処理装置１に入力された複数の該プログラムの一覧を上記表示部２５に表示するものとし、この中から何れか一つのプログラムをスイッチ２６，２７，２８，２９の操作により選択するものとしても良く、或いは、上記の複数のプログラムと対応する複数のＱＲコードを印刷し、この複数のＱＲコードのうちの何れかを情報処理装置１のコード情報読取手段８２で読み取ることによって何れのプログラムを用いるか選択するものとしても良い。また、このＱＲコードの替わりにＲＦタグを用い、この複数のＲＦタグのうちの何れかを情報処理装置１の電子情報読取手段８３で読み取ることによって何れのプログラムを用いるか選択するものとしても良く、或いは、複数のＲＦタグ内にそれぞれ異なるプログラムを入力し、この複数のＲＦタグのうちの何れかを情報処理装置１の電子情報読取手段８３で読み取ることによって必要なプログラムを入力するものとしても良い。
【００３１】
また、この情報処理装置１を構成する上記各手段等の動作，表示，点灯，発音及び作動は、何れも該情報処理装置１が備えるスイッチ２６，２７，２８，２９，左トリガー４２及び右トリガー４４への使用者の操作に応じたものと限られず、後述するホストコンピュータ１０１からの上記情報処理装置側送受信手段８８を介した指示又は操作に応じて上記の各手段等の動作，表示，点灯，発音及び作動をするものと設定することができる。すなわち、使用者が後述するホストコンピュータ１０１の入力手段１０５である図示しないキーボード又はマウスを操作することにより、上記情報処理装置１のコード情報読取手段８２，電子情報読取手段８３及び電子情報書込み手段８４が読み取り及び書き込みを開始するように（いわばホストコンピュータ１０１が情報処理装置１をリモートコントロールするように）設定することもできる。
【００３２】
また、使用者がこの情報処理装置１を用いて現品票９１の情報処理をする際の構成について、図５を参照して説明する。この現品票９１とは、一般に物流管理や生産管理、或いはそれらの受発注管理等に用いられるものであって、例えば、特定の工場が他の工場に対して商品等の納入の要求情報を記載したカードであって、商品自体或いは商品等を納めた輸送用又は保管用の容器に貼付され、表面には該商品等の名称，仕様，数量，生産日時，納期，生産地，生産者或いは仕向地等の情報が記載されている。また特に近年では、この現品票に上記情報を文字で記載することに加えて、該現品票に上記情報についてのバーコード化や２次元コード化された識別コード情報を記載し、或いは、電子情報の受信又は送信の機能を有するＩＣチップを付加し、これら識別コード情報や電子情報を機械的に読み取り或いは書き込むことによって、この現品票による商品等の管理をコンピュータにより容易，迅速且つ確実に行うことができるようにされている。この実施の形態で挙げる図５に示す現品票９１には、識別コード情報として一般に良く用いられている２次元コードであるＱＲコード９２が表面に印刷されてなるとともに、電子情報の受信及び送信の機能を有するＩＣチップであるＲＦタグ９３を内蔵している。なお、このＲＦタグ９３には、情報の処理を行うＲＦタグ側情報処理手段（以下、情報処理手段という）９４と、ＲＦタグ側記憶手段９５と、ＲＦタグ側送受信手段９６と、を備えている。このＲＦタグ側送受信手段９６は、上記情報処理装置１の電子情報読取手段８３及び電子情報書込手段８４と対応して情報の送受信をするものであって、電子情報読取手段８３及び電子情報書込手段８４のアンテナ３０を介して情報の送受信をするための図示しないアンテナを備えている。また、この発明の実施の形態においては、説明の便宜上、ＲＦタグ９３が情報処理手段９４，ＲＦタグ側記憶手段９５及びＲＦタグ側送受信手段９６とを備えるものとしているが、これら三つの情報処理手段９４，ＲＦタグ側記憶手段９５及びＲＦタグ側送受信手段９６が物理的な部材としてそれぞれＲＦタグ９３内にあるのではなく、これら三つの手段は何れも一つのＩＣチップからなるＲＦタグ９３の回路上に形成されてなるものである。
【００３３】
また、この情報処理装置１は、ホストコンピュータ１０１と連携して動作する情報処理システムを構成するものであって、該情報処理装置１が現品票９１のＱＲコード９２から読み取った情報を該ホストコンピュータ１０１へ送信し、また、送信された情報に基づいて該ホストコンピュータ１０１が該情報処理装置１へ送信した情報（特定の個別情報）を該情報処理装置１が該ＲＦタグ９３に書き込むものとされている。このホストコンピュータ１０１は一般に市販されているパソコンと同様な構成とされてなるものであって、図５に示すように、ホストコンピュータ側中央演算処理装置（以下、ホストコンピュータ側ＣＰＵという）１０２と、ホストコンピュータ側記憶手段１０３と、ホストコンピュータ側送受信手段１０４と、を備えており、また、該ホストコンピュータ１０１にはキーボードやマウス等の入力手段１０５、ディスプレイ等の表示手段１０６が接続されており、また、必要に応じて現品票等に文字の情報やＱＲコードの印刷を行うプリンタ１０７等とも接続されている。
【００３４】
なお、上記ホストコンピュータ側記憶手段１０４には、上記の通りこのホストコンピュータ１０１が一般に市販されているパソコンと同様な構成とされていることから、このホストコンピュータ１０１の動作に必要なオペレーションシステムが入力されている他、上記情報処理装置１から送信される識別コード情報と該識別コード情報に対応する個別情報に関するデータベースが入力されている。すなわちこのデータベースは、入力された識別コード情報に対する個別情報が出力できるようにされており、具体的には、入力された識別コード情報に対応する商品等の名称，仕様，数量，生産日時，納期，生産地，生産者或いは仕向地等の情報等の個別情報が出力できるものとされている。
【００３５】
以下、上記情報処理装置１，現品票９１及びホストコンピュータ１０１による情報処理システムについて、一連の情報の読み取り及び書き込みの手順を図６及び図７に示すフローチャートに従い説明する。先ず使用者は、上述したように装着ベルト１２により自己の右手Ｈの人差指Ｆ１及び中指Ｆ２に情報処理装置１を装着し（図４参照）、また、図５に示すスイッチ２６を押圧操作して該情報処理装置１の電源を入れる。なお、このように電源を入れることにより、上記ＬＥＤ３２，３７が点灯し（図１参照）、この情報処理装置１は使用者の操作に対して待機する状態となる。次いで使用者は、装着した情報処理装置１を、図４に示すハウジング１１の上面２１に配置されたレンズ２３を上記現品票９１と対向するような位置関係とした上で、親指Ｆ３で左トリガー４２を押圧する（ステップＳｔ１）。なお、この実施の形態では、使用者が右手Ｈに上記情報処理装置１を装着し、右手Ｈの親指Ｆ３で左トリガー４２を押圧するものとして説明しているが、該情報処理装置１の左トリガー４２を押圧したときも右トリガー４４を押圧したときも同様な動作をするようにされていることから、使用者は該情報処理装置１を左手に装着して左手の親指で右トリガー４４を押圧する場合にも、同様に使用することができる。また、この情報処理装置１では、上記ステップＳｔ１において左トリガー４２又は右トリガー４４が押圧されると、上記発光部２４が発光し、該発光部２４と対向する面上（この実施の形態では現品票９１の表面上）にレーザー光による直線や長方形等の図形を投影する。この発光部２４から発するレーザー光が投影する図形は、上記コード情報読取手段８２が上記レンズ２３を介して上記ＱＲコード９２を読み取ることができる範囲を示しているため、使用者はこのレーザー光をガイドとして容易にこの情報処理装置１を使ってＱＲコード９２を読み取ることができる。なお、上記コード情報読取手段８２は、この発光部２４から発光された光が現品票９１上から反射した反射光を用いてＱＲコード９２を読み取るものではない。
【００３６】
次のステップＳｔ２において、上記ステップＳｔ１により左トリガー４２が押圧されたか否かが情報処理装置側ＣＰＵ８１によって判別され、該情報処理装置側ＣＰＵ８１により該左トリガー４２が押圧されていないと判別された場合にはステップＳｔ１に戻り、該左トリガー４２が押圧されたと判別された場合には、次のステップＳｔ３に進んで上記コード情報読取手段８２によりＱＲコード９２を読み取る（スキャニングする）。次のステップＳｔ４において、ステップＳｔ３における上記コード情報読取手段８２が読み取った否かについて情報処理装置側ＣＰＵ８１によって判別され、ＱＲコード９２が読み取られていないと判別された場合にはステップＳｔ３に戻り、ＱＲコード９２を読み取ったと判別された場合には、次のステップＳｔ５において、この読み取ったＱＲコード９２の情報（識別コード情報）を情報処理装置側記憶手段８５に一時格納し、ほぼ同時期のステップＳｔ６において、この識別コード情報を上記表示部２５に表示するとともに、ほぼ同時期のステップＳｔ７において、上記ブザー８６を発音させて使用者にＱＲコード９２の情報を読み取ったことを知らせる。なお、このステップＳｔ７及び以下のステップにおいて上記情報処理装置側ＣＰＵ８１が上記ブザー８６を発音させる際には、上記バイブレータ８７も同時に作動させてこの情報処理装置１を振動させ、これにより使用者に知らせるものとしても良い。このブザー８６の発音及びバイブレータ８７の作動は、必要に応じて使用者が設定することができ、両方を同時に実行させることも任意の一方のみを実行させることもできる。
【００３７】
次いで、ステップＳｔ８において、上記情報処理装置側ＣＰＵ８１は識別コード情報を上記情報処理装置側送受信手段８８により上記ホストコンピュータ１０１のホストコンピュータ側送受信手段１０４に送信する。なお、この情報処理装置側送受信手段８８とホストコンピュータ側送受信手段１０４間の情報の送受信は、無線通信の規格であるブルートゥースの技術に基づいてなされており、上記情報処理装置１とホストコンピュータ１０１とが互いに離れて位置する場合でも情報の送受信が可能である。なお、上記情報処理装置１とホストコンピュータ１０１との間では予めパスキー（認証鍵）を用いたペアリングがなされており、また、該情報処理装置１が他の機器との間でブルートゥースによる通信が可能な状態の時は、該情報処理装置１の上記ＬＥＤ３３，３８が点灯する。このブルートゥースの規格で接続された機器は、互いに情報の送受信がなされたかについて常に監視している（いわば、これら情報処理装置１とホストコンピュータ１０１は無線により繋ぎっぱなしの状態となっている）。そして、次のステップＳｔ９において、ホストコンピュータ側送受信手段１０４が上記識別コード情報を受信したか否かが上記ホストコンピュータ側ＣＰＵ１０２によって判別され、この識別コード情報が受信されていないと判別された場合にはステップＳｔ８に戻り、この識別コード情報を受信したと判別された場合には、この識別コード情報を上記表示手段１０６に表示するするとともに、ほぼ同時期のステップＳｔ１１において、ホストコンピュータ側ＣＰＵ１０２は、この識別コード情報を上記ホストコンピュータ側記憶手段１０３に予め格納されていた特定の個別情報のデータベースと照合する。
【００３８】
そして、次のステップＳｔ１２において、上記の識別コード情報と対応する特定の個別情報があるか否かについてホストコンピュータ側ＣＰＵ１０２によって判別され、上記の識別コード情報と対応する特定の個別情報がないと判別された場合には、ステップＳｔ１４により情報処理装置１の表示部２５にエラー表示（読み取ったＱＲコードに該当する識別コード情報が無い旨，ＱＲコードの読取に失敗した旨等）をするとともにステップＳｔ１に戻り、上記の識別コード情報と対応する特定の個別情報があると判別された場合には、次のステップＳｔ１３に進んでこの識別コード情報をホストコンピュータ側記憶手段１０３に格納する。また、上記ホストコンピュータ側記憶手段１０３に格納されている特定の個別情報とは、使用者が上記情報処理装置１を用いて読み取る上記ＱＲコード９２の識別コード情報のそれぞれに対応するものであって、該ＱＲコード９２を貼付した商品等の情報（名称，仕様，数量，生産日時，納期，生産地或いは仕向地等の情報）である。
【００３９】
次いでステップＳｔ１５において、上記のステップＳｔ１３によりホストコンピュータ側記憶手段１０３に格納された識別コード情報に対応する特定の個別情報を該ホストコンピュータ側記憶手段１０３より取り出し、この特定の個別情報をホストコンピュータ側送受信手段１０４から情報処理装置側送受信手段８８を介して情報処理装置側ＣＰＵ８１に送信する。次のステップＳｔ１６において、上記情報処理装置側ＣＰＵ８１に上記特定の個別情報が受信されたか否かが判別され、該情報処理装置側ＣＰＵ８１にこの特定の個別情報が受信されていないと判別された場合には、ステップＳｔ１５に戻り、該情報処理装置側ＣＰＵ８１に特定の個別情報が受信されたと判別された場合には、次のステップＳｔ１７に進んで、この特定の個別情報を情報処理装置側記憶手段８５に一時格納し、ほぼ同時期のステップＳｔ１８において、この特定の個別情報を上記表示部２５に表示するとともに、ほぼ同時期のステップＳｔ１９において、上記ブザー８６を発音させて使用者に特定の個別情報を受信したことを知らせて次のステップＳｔ２０に進む。なお、上記ステップＳｔ１８において、上記ＱＲコード９２を貼付した商品等の特定の個別情報、特に該商品等の名称を、表示部２５に表示することにより、使用者は自己が情報処理装置１を使用して読み取った商品等の特定の個別情報を目視で確認することができる。
【００４０】
次いで、ステップＳｔ２０において、上記のステップＳｔ１７により一時格納された特定の個別情報は、先に格納されている識別コード情報（ＱＲコード９２の読取情報）と互いに正しく対応するものであるかを照合される。そして、次のステップＳｔ２１において上記の特定の個別情報と識別コード情報とが正しく対応するものであるか否かが判別され、該情報処理装置側ＣＰＵ８１により上記の特定の個別情報と識別コード情報とが正しく対応するものでないと判別された場合には、ステップＳｔ９に戻り、特定の個別情報と識別コード情報とが正しく対応するものであると判別された場合には、次のステップＳｔ２２に進んで、この特定の個別情報を電子情報書込手段８４により上記現品票９１のＲＦタグ９３に送信する。
【００４１】
次のステップＳｔ２３において、ＲＦタグ９３の情報処理手段９４に特定の個別情報が受信されたか否かについて該情報処理手段９４により判別され、特定の個別情報が受信されていないと判別された場合にはステップＳｔ２２に戻り、特定の個別情報が受信されたと判別された場合には、次のステップＳｔ２４に進んで該特定の個別情報を上記ＲＦタグ側記憶手段９５に格納する（書き込みする）とともに、ほぼ同時期のステップＳｔ２５に進んで、上記情報処理手段９４は、該特定の個別情報を受信したことについて上記ＲＦタグ側送受信手段９６を介して送信し、これを情報処理装置１の電子情報読取手段８３が受信した場合には、情報処理装置側ＣＰＵ８１は上記ブザー８６を発音させて使用者に特定の個別情報が受信されたことを知らせ、一連の情報の読み取り及び書き込みに係る作業手順が終了する。
【００４２】
このように、この実施の形態に係る情報処理装置１を用いた情報処理システムによれば、ホストコンピュータ１０１と連携してＱＲコード９２の情報とＲＦタグ９３の情報を極めて簡単且つ迅速に一致させることができ、非常に作業性が高いものとなっている。すなわち、この情報処理装置１によれば、ＱＲコード９２の情報の読み取りと、ＲＦタグ９３への情報の書き込みとを連携した一連の動作として連続的に行うことができることから、ＱＲコード９２の情報とＲＦタグ９３の情報とを一致させる作業をより一層簡単且つ迅速に行うことが可能となる。また、特に上記レンズ２３及びアンテナ３０は、同一の面又はその近傍に配置されてなることから、該レンズ２３によってＱＲコード９２を読み取るのに適した方向と、アンテナ３０によってＲＦタグ９３との情報の送信に適した方向とが一致するものとなり、使用者がＱＲコード９２もＲＦタグ９３も備えた現品票９１と情報処理装置１とを適切な位置関係とした場合には、この位置関係は、レンズ２３によるＱＲコード９２の読み取りにも、アンテナ３０を介したＲＦタグ９３との情報の受信及び／又は送信による読み取り及び／又は書き込みにも適した位置関係となる。したがって、この情報処理装置１は、上述の図６及び図７に示す実施の形態のようなＱＲコード９２の読み取りの操作とＲＦタグ９３への書き込みの操作をいちどきに（ほぼ同時に）連続して実行するのに適したものとなり、作業性が高いものとなっている。
【００４３】
また、上述の図６及び図７のフローチャートに示す実施の形態では、上記情報処理装置１をホストコンピュータ１０１と連携してＱＲコード９２の識別コード情報とＲＦタグ９３の個別情報との一連の情報の読み取り及び書き込みに係る情報処理システムとしての作業手順について説明したが、該情報処理装置１の動作については使用者が上述の通り様々に設定することができる。すなわち、上記情報処理装置１は、上記ホストコンピュータ１０１と連携させず、上記現品票９１に対して単なるＲＦタグリーダー，ＲＦタグライター或いはＱＲコードリーダーとして設定して使用することができる。以下、上記情報処理装置１をＲＦタグリーダーとして設定した場合の現品票９１のＲＦタグ９３に記憶された個別情報の読み取りをする手順について図８に示すフローチャートに従い説明する。
【００４４】
先ず使用者は、上述の実施の形態と同様に上記情報処理装置１を装着し（使用者は右手Ｈに該情報処理装置１を装着したものとする。）、該情報処理装置１の電源を入れる。次いでステップＳｔ１において、装着した情報処理装置１を、図１又は図２に示すハウジング１１の上面２１が上記現品票９１と対向するような位置関係とした上で、親指Ｆ３で左トリガー４２を押圧する（図４参照）。次のステップＳｔ２において、左トリガー４２が押圧されたか否かについて情報処理装置側ＣＰＵ８１によって判別され、該左トリガー４２が押圧されていないと判別された場合には、ステップＳｔ１に戻り、該左トリガー４２が押圧されたと判別された場合には、次のステップＳｔ３に進んで、上記電子情報読取手段８３によりＲＦタグ９３の個別情報を読み取る。なお、このステップＳｔ３では、通常の一般に良く使用されているＲＦタグリーダーと同様な動作で読み取りをする。すなわち、上記情報処理装置１のアンテナ３０（図１参照）から発した電波を上記現品票９１のＲＦタグ側送受信手段９６のアンテナが受けることにより、上記情報処理手段９４は上記ＲＦタグ側記憶手段９５から読み出した個別情報を該ＲＦタグ側送受信手段９６のアンテナから送信し、この個別情報を該アンテナ３０が受信する。そして、次のステップＳｔ４において、上記電子情報読取手段８３によりＲＦタグ９３の個別情報が読み取られたか否かについて情報処理装置側ＣＰＵ８１によって判別され、該電子情報読取手段８３によりＲＦタグ９３の個別情報が読み取られていないと判別された場合には、ステップＳｔ３に戻り、ＲＦタグ９３の個別情報が読み取られたと判別された場合には、次のステップＳｔ５に進んで、読み取ったＲＦタグ９３の個別情報を上記表示部２５に表示するとともに、ほぼ同時期のステップＳｔ６に進んで、上記ブザー８６を発音させて使用者にＲＦタグ９３の個別情報が読み取られたことを知らせ、情報処理装置１をＲＦタグリーダーとして設定した場合の現品票９１のＲＦタグ９３に記憶された個別情報の読み取りをする一連の作業手順が終了する。このようにステップＳｔ５において表示部２５に読み取ったＲＦタグ９３の情報を表示することにより、使用者は自己が上記情報処理装置１により読み取ったＲＦタグ９３の個別情報を目視で確認することができるが、上記情報処理装置側ＣＰＵ８１がこの個別情報を情報処理装置側記憶手段８５に一時格納するものとしても良い。また、特にこの個別情報が単なる数字や記号の羅列からなるもので判り難いものである場合（例えば、一連の商品等に付される通し番号等である場合）には、この個別情報を一般的な文字（例えば、商品等の個別の商品名等）と対応させる変換テーブルを予め上記情報処理装置側記憶手段８５に入力しておき、上記情報処理装置側ＣＰＵ８１は該変換テーブルによる処理を行った上で該一般的な文字を表示部２５に表示するものとしても良く、この場合には、使用者はこの表示部２５の表示によって容易に目視での確認をすることができる。
【００４５】
また、上述の通り上記情報処理装置１は、ＱＲコードリーダーとして使用することができるが、以下、該情報処理装置１をＱＲコードリーダーとして設定した場合の現品票９１のＱＲコード９２に記録（印刷）された識別コード情報の読み取りをする手順について図９に示すフローチャートに従い説明する。
【００４６】
先ず使用者は、上述の実施の形態と同様に上記情報処理装置１を装着し（使用者は右手Ｈに該情報処理装置１を装着したものとする。）、該情報処理装置１の電源を入れる。次いでステップＳｔ１において、装着した情報処理装置１を、上記上面２１に位置するレンズ２３を上記現品票９１と対向するような位置関係とした上で、親指Ｆ３で左トリガー４２を押圧する。次のステップＳｔ２において、左トリガー４２が押圧されたか否かについて情報処理装置側ＣＰＵ８１によって判別され、該左トリガー４２が押圧されていないと判別された場合には、ステップＳｔ１に戻り、左トリガー４２が押圧されたと判別された場合には、次のステップＳｔ３に進んで、上記コード読取手段８２によりＱＲコード９２の識別コード情報を読み取る。そして、次のステップＳｔ４において、上記コード情報読取手段８２によりＱＲコード９２の識別コード情報が読み取られたか否かについて情報処理装置側ＣＰＵ８１によって判別され、該コード情報読取手段８２によりＱＲコード９２の識別コード情報が読み取られていないと判別された場合には、ステップＳｔ３に戻り、ＱＲコード９２の識別コード情報が読み取られたと判別された場合には、次のステップＳｔ５に進んで、この読み取ったＱＲコード９２の識別コード情報を上記表示部２５に表示するとともに、ほぼ同時期のステップＳｔ６に進んで、上記ブザー８６を発音させて使用者にＱＲコード９２の識別コード情報を読み取ったことを知らせ、情報処理装置１をＱＲコードリーダーとして設定した場合の現品票９１のＱＲコード９２に記録された識別コード情報の読み取りをする一連の作業手順が終了する。このようにステップＳｔ５において表示部２５に読み取ったＲＦタグ９３の情報を表示することにより、使用者は自己が上記情報処理装置１により読み取ったＱＲコード９２の識別コード情報を目視で確認することができるが、上記情報処理装置側ＣＰＵ８１がこの識別コード情報を情報処理装置側記憶手段８５に一時格納するものとしても良い。また、特にこの識別コード情報が単なる数字や記号の羅列からなるもので判り難いものである場合（例えば、一連の商品等に付される通し番号等である場合）には、この識別コード情報を一般的な文字（例えば、商品等の個別の商品名等）と対応させる変換テーブルを予め上記情報処理装置側記憶手段８５に入力しておき、上記情報処理装置側ＣＰＵ８１は該変換テーブルによる処理を行った上で該一般的な文字を表示部２５に表示するものとしても良く、この場合には、使用者はこの表示部２５の表示によって容易に目視での確認をすることができる。
【００４７】
また、上述の通り上記情報処理装置１はＲＦタグライターとして設定して使用することができるが、以下、該情報処理装置１をＲＦタグライターとして設定した場合の現品票９１のＲＦタグ９３に書込情報の書き込みをする手順について図１０に示すフローチャートに従い説明する。なお、上述の通り、上記情報処理装置１はホストコンピュータ１０１の入力手段１０５である図示しないキーボード又はマウスを操作することにより、上記情報処理装置１のコード情報読取手段８２，電子情報読取手段８３及び電子情報書込み手段８４が読み取り及び書き込みを開始するように（いわばホストコンピュータ１０１が情報処理装置１をリモートコントロールするように）設定することもできるが、この図１０に示すフローチャートによる説明では、該ホストコンピュータ１０１のホストコンピュータ側記憶手段１０３に格納されたプログラムの操作により該情報処理装置１をＲＦタグライターとして書込情報の書き込みをする手順について説明する。
【００４８】
先ず使用者は、上述の実施の形態と同様に上記情報処理装置１を装着し（使用者は右手Ｈに該情報処理装置１を装着したものとする。）、該情報処理装置１の電源を入れる。次いで使用者は、装着した情報処理装置１を、上記上面２１を上記現品票９１と対向するような位置関係とする。そして、ステップＳｔ１において、使用者はこの現品票９１のＲＦタグ９３に書き込む特定の個別情報（以下、書込情報という。）を入力手段１０５によりホストコンピュータ１０１に入力する。なお、このステップＳｔ１のように使用者が書込情報を直接入力しても良いが、予め上記ホストコンピュータ１０１のホストコンピュータ側記憶手段１０３に書込情報を入力しておき、このステップＳｔ１ではこの予め入力されていた書込情報から選択して書き込みをするように指示を入力しても良い。次のステップＳｔ２において、書込情報が入力されたか否かについてホストコンピュータ側ＣＰＵ１０２によって判別され、書込情報が入力されていないと判別された場合には、ステップＳｔ１に戻り、書込情報が入力されたと判別された場合には、次のステップＳｔ３に進んで、該ホストコンピュータ側ＣＰＵ１０２は該書込情報を上記ホストコンピュータ側記憶手段１０３に格納する。次のステップＳｔ４において、上記ホストコンピュータ側記憶手段１０３に格納した書込情報を該ホストコンピュータ側記憶手段１０３より取り出し、この書込情報をホストコンピュータ側送受信手段１０４から情報処理装置側送受信手段８８を介して情報処理装置側ＣＰＵ８１に送信する。次のステップＳｔ５において、情報処理装置側ＣＰＵ８１に上記書込情報が受信されたか否かが上記情報処理装置側ＣＰＵ８１によって判別され、該情報処理装置側ＣＰＵ８１によって書込情報が受信されていないと判別された場合には、ステップＳｔ４に戻り、書込情報が受信されたと判別された場合には、次のステップＳｔ６に進んで、該情報処理装置側ＣＰＵ８１はこの書込情報を情報処理装置側記憶手段８５に一時格納し、ほぼ同時期のステップＳｔ７において、この書込情報を上記表示部２５に表示するとともに、ほぼ同時期のステップＳｔ８において、上記ブザー８６を発音させて使用者に書込情報を受信したことを知らせる。なお、上記ステップＳｔ７において、上記ＲＦタグ９３を貼付した商品等の個別情報、特に該商品等の名称を表示部２５に表示することにより、使用者は自己が情報処理装置１を使用して書き込む商品等を目視で確認することができる。
【００４９】
次いで、ステップＳｔ９において、情報処理装置側記憶手段８５に一時格納された書込情報を電子情報書込手段８４によりＲＦタグ側送受信手段９６を介してＲＦタグ９３の情報処理手段９４に送信する。次のステップＳｔ１０において、ＲＦタグ９３の情報処理手段９４に書込情報が受信されたか否かについて上記情報処理手段９４により判別され、該情報処理手段９４に書込情報が受信されていないと判別された場合には、ステップＳｔ９に戻り、書込情報が受信されたと判別された場合には、次のステップＳｔ１１に進んで、該情報処理手段９４は該書込情報を上記ＲＦタグ側記憶手段９５に格納し、ほぼ同時期のステップＳｔ１２において、上記ＲＦタグ側送受信手段９６、電子情報読取手段８３、情報処理装置側ＣＰＵ８１を経て上記ブザー８６を発音させて、使用者に書込情報をＲＦタグ９３に書き込んだことを知らせ、ホストコンピュータ１０１のホストコンピュータ側記憶手段１０３に格納されたプログラムの操作により情報処理装置１をＲＦタグライターとして書込情報の書き込みをする一連の作業手順が終了する。
【００５０】
この発明の実施の形態に係る情報処理装置１は、上記実施の形態の説明より明らかなように、単なるＱＲコードリーダーとしても、ＲＦタグリーダーとしても、或いは、ＲＦタグライターとしても使用することができ、また、使用者の設定によって他のコンピュータであるホストコンピュータ１０１と連携した一連の動作を連続的に行うことができるように設定することができ、更に、該ホストコンピュータ１０１との連携する動作の内容についても様々に設定することができる。すなわち、上記図６及び図７のフローチャートに示す情報処理装置１の動作において、上記ＱＲコード９２の識別コード情報の読み取りから上記ＲＦタグ９３への個別情報の書き込みまでの一連の手順については、使用者が行う操作はステップＳｔ１での左トリガー４２（又は右トリガー４４）の操作を一回行うのみで自動的に進行する。しかし、この動作において、ステップＳｔ１７において表示部２５に表示される表示内容と現品票９１が貼付された商品等との対応関係が正しいことを使用者が目視で確認した上で再度左トリガー４２（又は右トリガー４４）の操作を行った場合（すなわち、同一の現品票９１に対して二度目の左トリガー４２（又は右トリガー４４）の操作を行った場合）にのみ上記ＲＦタグ９３への書き込みを行うものとしても良い。また、上記図６及び図７のフローチャートに示す情報処理装置１の動作においては、ステップＳｔ１において使用者が左トリガー４２（又は右トリガー４４）を操作することにより、ステップＳｔ３においてはコード情報読取手段８２は現品票９１のＱＲコード９２を読み取るが、上記情報処理装置１の設定を変え、このステップＳｔ３においてこのコード情報読取手段８２による現品票９１のＱＲコード９２の読み取りと同時に電子情報読取手段８３が現品票９１のＲＦタグ９３の読み取るものとし、ステップＳｔ８でコード情報のホストコンピュータ１０１を送信すると同時に、上記のＲＦタグ９３から読み取った情報もホストコンピュータ１０１に送信するように該情報処理装置１を設定しても良い。
【００５１】
なお、上記情報処理装置１は、上述の通り無線通信の規格であるブルートゥースの技術に基づいて上記ホストコンピュータ１０１と通信をするものとしているが、これら情報処理装置１とホストコンピュータ１０１との間の通信の方法はこのブルートゥースによるものに限定されず、ＷｉＦｉ等の規格に基づいてするものとしても良く、また、電波以外に赤外線等の無線通信手段によって通信するものとしても良く、更に情報処理装置１とホストコンピュータ１０１との間をケーブルで接続することによる有線での通信をするものとしても良い。
【図面の簡単な説明】
【００５２】
【図１】本発明の実施の形態に係る情報処理装置を示す平面図である。
【図２】本発明の実施の形態に係る情報処理装置を示す正面図である。
【図３】図１に示す情報処理装置のＡ−Ａ矢視側面図である。
【図４】本発明の実施の形態に係る情報処理装置の使用の状態を示す斜視図である。
【図５】本発明の実施の形態に係る情報処理装置，ホストコンピュータ及び現品票の構成を示すブロック図である。
【図６】本発明の実施の形態に係る情報処理装置及びホストコンピュータを用いて現品票のＱＲコード及びＲＦタグの読み取り及び書き込みをする際のフローを示すフローチャートである。
【図７】図６に示すフローチャートの続葉である。
【図８】本発明の実施の形態に係る情報処理装置を用いて現品票のＲＦタグの読み取りをする際のフローを示すフローチャートである。
【図９】本発明の実施の形態に係る情報処理装置を用いて現品票のＱＲコードの読み取りをする際のフローを示すフローチャートである。
【図１０】本発明の実施の形態に係る情報処理装置及びホストコンピュータを用いて現品票のＲＦタグの書き込みをする際のフローを示すフローチャートである。
【符号の説明】
【００５３】
１  情報処理装置
１１  ハウジング
１２  装着ベルト
２１  上面
２３  レンズ
３０  アンテナ
４１  左側面
４２  左トリガー
４３  右側面
４４  右トリガー
６０  低反発性シート部材
８２  コード情報読取手段
８３  電子情報読取手段
８４  電子情報書込手段
９２  ＱＲコード
９３  ＲＦタグ
Ｆ１  人差指
Ｆ２  中指
Ｆ３  親指
【図１】
2008293474.tif 000003
【図２】
2008293474.tif 000004
【図３】
2008293474.tif 000005
【図４】
2008293474.tif 000006
【図５】
2008293474.tif 000007
【図６】
2008293474.tif 000008
【図７】
2008293474.tif 000009
【図８】
2008293474.tif 000010
【図９】
2008293474.tif 000011
【図１０】
2008293474.tif 000012